(57)【要約】【課題】  デジタル放送信号を受信する受信機をフロントエンドユニット１００とバックエンドユニット２００に分離した場合、両ユニット間のＴＳ信号伝送にパケット伝送を用いるため、バックエンドユニット側で音声出力及び画像表示する基準クロックが放送局側の基準クリックと同期できず、コマ落ちや音途切れを誘発してしまう。【解決手段】  フロントエンドユニット１００及びバックエンドユニット２００間でＴＳ信号をパケット伝送する前後に送受信バッファ１６、１９をそれぞれ設け、コマ落ちや音途切れを補償する構成とした。【選択図】          図１
2008048201.tif 000002
【特許請求の範囲】
【請求項１】
受信したデジタル放送信号を復調してトランスポートストリーム信号を得る復調部と、この復調部で復調したトランスポートストリーム信号を一時蓄積する第１バッファと、この第１バッファに蓄積されたトランスポートストリーム信号の一部を順次取り出し、パケット送信するパケット送信部とからなるフロントエンドユニット、
上記パケット送信部から送信されたパケット信号を受信するパケット受信部と、このパケット受信部が受信する上記トランスポートストリーム信号を一時蓄積する第２バッファと、この第２バッファから順次取り出されるトランスポートストリーム信号を音声信号及び映像信号に分離するトランスポートストリームデコーダと、このトランスポートストリームデコーダにより分離された音声信号をスピーカへ供給して音声出力させる音声処理部と、上記トランスポートストリームデコーダにより分離された映像信号を表示部へ供給して画像表示させる表示処理部と、上記トランスポートストリームデコーダ、音声処理部、及び表示処理部へ基準クロックを供給する基準クロック生成部とからなる、上記フロントエンドユニットとは別体に設けられたバックエンドユニットを備えたことを特徴とするデジタル放送受信装置。
【請求項２】
受信したデジタル放送信号を復調してトランスポートストリーム信号を得る復調部と、この復調部で復調したトランスポートストリーム信号を一時蓄積する第１バッファと、この第１バッファに蓄積されたトランスポートストリーム信号の一部を順次取り出し、パケット送信するパケット送信部とからなるフロントエンドユニット、
上記パケット送信部から送信されたパケット信号を受信するパケット受信部と、このパケット受信部が受信する上記トランスポートストリーム信号を一時蓄積する第２バッファと、この第２バッファから順次取り出されるトランスポートストリーム信号を音声信号及び映像信号に分離するトランスポートストリームデコーダと、このトランスポートストリームデコーダにより分離された音声信号をスピーカへ供給して音声出力させる音声処理部と、上記トランスポートストリームデコーダにより分離された映像信号を表示部へ供給して画像表示させる表示処理部と、上記復調部から信号線を介して同期信号を入力し、上記トランスポートストリームデコーダ、音声処理部、及び表示処理部へ基準クロックを供給する基準クロック生成部とからなる、上記フロントエンドユニットとは別体に設けられたバックエンドユニットを備えたことを特徴とするデジタル放送受信装置。
【請求項３】
フロントエンドユニットには、復調部で復調されたトランスポートストリーム信号を暗号化して第１バッファへ暗号化されたトランスポートストリーム信号を蓄積させる暗号化部を有し、バックエンドユニットには、第２バッファから取り出されたトランスポートストリーム信号を暗号復号化してトランスポートストリームデコーダへトランスポートストリーム信号を供給する暗号復号化部を有することを特徴とする請求項１又は２記載のデジタル放送受信装置。
【請求項４】
フロントエンドユニットのパケット送信部とバックエンドユニットのパケット受信部はＵＳＢケーブルで接続されていることを特徴とする請求項１又は２記載のデジタル放送受信装置。
【請求項５】
フロントエンドユニット及びバックエンドユニットには各々の各部の制御を司る制御部を有しており、かつ、フロントエンドユニット側の制御部は、バックエンドユニット側の制御部の制御配下で動作することを特徴とする請求項１又は２記載のデジタル放送受信装置。
【発明の詳細な説明】
【技術分野】
【０００１】
本発明は、デジタル放送信号を受信する受信装置に関し、特に受信装置をチューナ及び復調部から構成されるフロントエンドユニットと、トランスポートストリームデコーダ、音声デコーダ、映像デコーダ及び提示処理部から構成されるバックエンドユニットとに分離したデジタル放送受信装置に関する。
【背景技術】
【０００２】
地上デジタル放送は、各種のサービスを可能にしており、その一つとしてモバイル機器向けの放送がある。このサービスにより、地上デジタル放送の番組が携帯電話機等の携帯端末を使って外出先や通勤途中で楽しむことができる。したがって、地上デジタル放送を受信可能にした携帯端末が、益々、普及拡大されることが見込まれる。
【０００３】
従来のデジタル放送受信装置として、例えば、ＡＲＩＢ  ＴＲ−Ｂ１４「地上デジタルテレビジョン放送運用規定」（非特許文献１）の図３−１に記載された一体型の受信装置の構成が一般に知られている。
【０００４】
図３は非特許文献１に記載された受信装置の構成を簡略化したブロック図であり、１はデジタル放送を受信するアンテナ、２は所定のデジタル放送を選局するチューナ、３はこのチューナ２を介して受信したデジタル放送信号を復調し、トランスポートストリーム信号（以下、ＴＳ信号と称す。）に変換する復調部、４はＴＳ信号をデコードし、音声信号及び映像信号に分離するトランスポートストリームデコーダ（以下、ＴＳデコーダと称す。）、５はＴＳデコーダ４により分離された音声信号を音声デコード処理する音声デコーダ、６はこの音声デコーダ５の出力するデジタル音声信号をアナログに変換するＤ／Ａ変換器で、アナログ変換された音声信号はスピーカ７から音声出力される。一方、ＴＳデコーダ４により分離された映像信号は映像デコーダ８で映像デコード処理される。９はこの映像デコーダ８からの映像信号と文字データ等を合成する提示処理部、１０はこの提示処理部から入力される映像信号を画面表示するＬＣＤ、１１は復調部３からの同期信号を入力し、基準クロックを生成する基準クロック生成部である。この基準クロック生成部１１の基準クロックは放送局側の基準クロックと同期しており、ＴＳデコーダ４、音声デコーダ５、Ｄ／Ａ変換器６、映像デコーダ８、及び提示処理部９に供給される。また、１２は受信装置各部の制御を司る制御部である。
【０００５】
即ち、アンテナ１で受信されたデジタル放送は、チューナ２で選局されて復調部３へ入力される。復調部３は入力されたデジタル放送信号を復調してＴＳ信号をＴＳデコーダ４へ入力するとともに放送局側の基準クロックと同期した同期信号を基準クロック生成部１１へ入力する。ＴＳデコーダ４は復調部３から入力したＴＳ信号をデコードすることにより、音声信号と映像信号に分離する。ここで、ＴＳ信号は実際には音声信号及び映像信号と共に他のデータも含まれており、この他のデータ信号もＴＳデコーダ４で分離され、制御部１２により処理されるが、説明の都合上この処理については割愛する。
【０００６】
ＴＳデコーダ４により分離された音声信号は音声デコーダ５によって音声デコード処理され、さらにＤ／Ａ変換器６でアナログ信号に変換された後、スピーカに供給されて音声出力される。一方、ＴＳデコーダ４により分離された映像信号は映像デコーダ８によって映像デコード処理がなされ、提示処理部９へ供給される。提示処理部９は映像デコーダ８から供給される映像信号に字幕などの文字データを合成してＬＣＤ１０へ入力することにより、ＬＣＤ１０の画面上に画像を表示する。
【０００７】
ここで、スピーカ７からの音声出力及びＬＣＤからの画像出力は放送局側の送信機の基準クロックと同期させておく必要がある。さもなければ、瞬間的な音途切れや画像のコマ落ちが発生してしまう。そこで、基準クロック生成部１１は復調部３からの同期信号により基準クロックを生成し、各部へ供給するように構成している。即ち、復調部３はＴＳ信号のシリアルデータから、放送局側からＴＳ信号を送出する際に用いているクロックと同じ精度のクロックが再生できるものであり、したがって、放送局側の送信機の基準クロックと同期した基準クロックをＴＳデコーダ４、音声デコーダ５、Ｄ／Ａ変換器６、映像デコーダ８、及び提示処理部９に供給することができる。
【０００８】
【非特許文献１】ＡＲＩＢ  ＴＲ−Ｂ１４「地上デジタルテレビジョン放送運用規定」
【発明の開示】
【発明が解決しようとする課題】
【０００９】
非特許文献１に記載されたデジタル放送受信装置は、チューナ２及び復調部３から構成されるフロントエンド部とＴＳデコーダ４、音声デコーダ５、映像デコーダ８、提示処理部から構成されるバックエンド部とが一体の１つのユニットで構成されている。しかし、製品コンセプト上ではフロントエンド部とバックエンド部とを別のユニットで構成する新たなコンセプトが要請されている。例えば、携帯電話機等の携帯端末には、元々ＣＰＵや動画処理用のハードウエアを搭載しており、これらをバックエンド部の信号処理用に用いるものとすれば、フロントエンド部を別のユニットとして携帯端末に接続することでデジタル放送受信装置を得ることができる。即ち、フロントエンド部のユニットを用意すれば、既存の携帯端末に接続するだけでデジタル放送を受信し、視聴することができるようになる。しかも、携帯電話機の場合、多機能化により、外部機器と接続するための幾つかのインターフェースが既に備わっているため、新たにインターフェースを設ける必要もない。
【００１０】
一方、フロントエンド部とバックエンド部とを別のユニットで構成した場合を想定すると、両ユニット間を接続するためにＵＳＢインターフェースを用いることが考えられる。ＵＳＢインターフェースは汎用的であるが、基本的にパケット伝送になるため放送局側の基準クロックと同期した基準クロックをバックエンド側ユニットで生成することができない。したがって、長時間の視聴を続けると、バックエンド側ユニットにおいてＴＳ信号の枯渇や溢れが発生し、画像表示においてはコマ落ちの発生、音声再生においては瞬間的な音途切れやノイズが発生してしまう。
【００１１】
本発明は、上述の問題点に鑑みてなされたものであり、デジタル放送受信装置をフロントエンドユニット及びバックエンドユニットに分離すると共に、画像表示におけるコマ落ちの発生、音声再生における瞬間的な音途切れやノイズの発生を抑制することを目的としている。
【課題を解決するための手段】
【００１２】
本発明に係るデジタル放送受信装置は、受信したデジタル放送信号を復調してトランスポートストリーム信号を得る復調部と、この復調部で復調したトランスポートストリーム信号を一時蓄積する第１バッファと、この第１バッファに蓄積されたトランスポートストリーム信号の一部を順次取り出し、パケット送信するパケット送信部とからなるフロントエンドユニット、
上記パケット送信部から送信されたパケット信号を受信するパケット受信部と、このパケット受信部が受信する上記トランスポートストリーム信号を一時蓄積する第２バッファと、この第２バッファから順次取り出されるトランスポートストリーム信号を音声信号及び映像信号に分離するトランスポートストリームデコーダと、このトランスポートストリームデコーダにより分離された音声信号をスピーカへ供給して音声出力させる音声処理部と、上記トランスポートストリームデコーダにより分離された映像信号を表示部へ供給して画像表示させる表示処理部と、上記トランスポートストリームデコーダ、音声処理部、及び表示処理部へ基準クロックを供給する基準クロック生成部とからなる、上記フロントエンドユニットとは別体に設けられたバックエンドユニットを備えてなるものである。
【００１３】
また、本発明に係るデジタル放送受信装置は、受信したデジタル放送信号を復調してトランスポートストリーム信号を得る復調部と、この復調部で復調したトランスポートストリーム信号を一時蓄積する第１バッファと、この第１バッファに蓄積されたトランスポートストリーム信号の一部を順次取り出し、パケット送信するパケット送信部とからなるフロントエンドユニット、
上記パケット送信部から送信されたパケット信号を受信するパケット受信部と、このパケット受信部が受信する上記トランスポートストリーム信号を一時蓄積する第２バッファと、この第２バッファから順次取り出されるトランスポートストリーム信号を音声信号及び映像信号に分離するトランスポートストリームデコーダと、このトランスポートストリームデコーダにより分離された音声信号をスピーカへ供給して音声出力させる音声処理部と、上記トランスポートストリームデコーダにより分離された映像信号を表示部へ供給して画像表示させる表示処理部と、上記復調部から信号線を介して同期信号を入力し、上記トランスポートストリームデコーダ、音声処理部、及び表示処理部へ基準クロックを供給する基準クロック生成部とからなる、上記フロントエンドユニットとは別体に設けられたバックエンドユニットを備えてなるものである。
【発明の効果】
【００１４】
本発明によれば、デジタル放送受信装置をフロントエンドユニットとバックエンドユニットに分離して両ユニット間におけるトランスポートストリーム信号の送受信をパケット伝送で行うものとし、かつ、フロントエンドユニットからバックエンドユニットに送信するトランスポートストリーム信号を一時記憶する第１バッファとフロントエンドユニットからバックエンドユニットに送信されたトランスポートストリーム信号を一時記憶する第２バッファを設けるものとしているので、第１及び第２バッファがパケット伝送によるデータ転送速度の揺らぎを吸収することができ、画像表示におけるコマ落ちの発生、音声再生における瞬間的な音途切れやノイズの発生を抑制することができる。
【００１５】
また、本発明によれば、デジタル放送受信装置をフロントエンドユニットとバックエンドユニットに分離して両ユニット間におけるトランスポートストリーム信号の送受信をパケット伝送で行うものとし、かつ、フロントエンドユニットからバックエンドユニットに送信するトランスポートストリーム信号を一時記憶する第１バッファとフロントエンドユニットからバックエンドユニットに送信されたトランスポートストリーム信号を一時記憶する第２バッファを設けると共に、フロントエンドユニットの復調部で生成される同期信号をバックエンドユニットの基準クロック生成部に入力して各部へ基準クロックを供給するものとしているので、第１及び第２バッファがパケット伝送によるデータ転送速度の揺らぎを吸収することができると共に、バックエンドユニットの基準クロックを放送局側の基準クロックと同期させることができ、画像表示におけるコマ落ちの発生、音声再生における瞬間的な音途切れやノイズの発生を防止することができる。
【発明を実施するための最良の形態】
【００１６】
以下、本発明の実施の形態１に係るデジタル放送受信装置について図１のブロック構成図に基いて説明する。
【００１７】
図１において、図３と同一符号は、同一又は相当部分であるので説明を省略する。１００はフロントエンドユニット、２００はバックエンドユニットで、これら両ユニットは別体のユニットで構成されている。１３は復調部３により復調されたＴＳ信号を暗号化する暗号化部、１４はフロントエンドユニット１００の制御を司る制御部、１５は暗号化部１３で暗号化されたＴＳ信号と制御部１４からバックエンドユニットへ送信する制御コマンドとを多重化するコマンド・データ多重分離部、１６はこのコマンド・データ多重分離部１５により多重化されたＴＳ信号及び制御コマンドを一時記憶する送受信バッファ、１７はこの送受信バッファ１６に一時記憶されたＴＳ信号及び制御コマンドを順次取り出し、パケット化して送信するフロントエンドユニット１００側のＵＳＢインターフェース、１８はこのＵＳＢインターフェース１７とＵＳＢケーブルを介して接続されたバックエンドユニット側のＵＳＢインターフェース、１９はこのＵＳＢインターフェース１８を介してフロントエンドユニット１００から送信されたＴＳ信号及び制御コマンドを一時記憶する送受信バッファ、２０はこの送受信バッファ１９に一時記憶されたＴＳ信号及び制御コマンドを順次取り出し、ＴＳ信号と制御コマンドとに分離するコマンド・データ多重分離部である。コマンド・データ多重分離部２０で分離された制御コマンドはバックエンドユニット２００の制御を司る制御部２１へ送信され、ＴＳ信号は暗号復号部２２へ供給されて暗号解読される。
【００１８】
即ち、図１のデジタル放送受信機はフロントエンドユニット１００とバックエンドユニット２００とに分離されている。したがって、それぞれのユニットに制御部１４、２１が設けられている。これらの制御部１４、２１は、バックエンドユニット２００側の制御部２１が主制御部として機能し、フロントエンドユニット１００側の制御部１４が制御部２１のコマンドの下で機能する副制御部である。また、ＴＳ信号で伝送される放送コンテンツの著作権保護のため、フロントエンドユニット１００にはＴＳ信号を暗号化する暗号化部１３が設けられ、バックエンドユニット２００側には暗号を解読する暗号復号化部２２が設けられている。
【００１９】
次に、動作について説明する。アンテナ１で受信されたデジタル放送は、チューナ２で選局されて復調部３へ入力される。復調部３は入力されたデジタル放送信号を復調してＴＳ信号を暗号化部１３へ出力する。暗号化部１３は復調部３で復調したＴＳ信号を暗号化してコマンド・データ多重分離部１５へ出力する。コマンド・データ多重分離部１５は暗号化されたＴＳ信号と制御部１４からの制御コマンドとを多重化して送受信バッファ１６へ一時記憶させる。送受信バッファ１６に記憶されたＴＳ信号及び制御コマンドは順次ＵＳＢインターフェース１７により読み出され、パケット化されてバックエンドユニット２００のＵＳＢインターフェース１８へ伝送される。ＵＳＢインターフェース１８へ伝送されたＴＳ信号及び制御コマンドは送受信バッファ１９に一時記憶された後、順次コマンド・データ多重分離部２０へ読み出される。コマンド・データ多重分離部２０は多重化されたＴＳ信号及び制御コマンドを分離して、ＴＳ信号を暗号復号化部２２へ出力すると共に、制御コマンドを制御部２１へ出力する。
【００２０】
ここで、制御部１４の制御コマンドは上述のように制御部２１に受け渡されるが、制御部２１から制御部１４への制御コマンドは、上述とは逆のルートで、コマンド・データ多重分離部２０、送受信バッファ１９、ＵＳＢインターフェース１８、ＵＳＢインターフェース１７、送受信バッファ１６、コマンド・データ多重分離部１５を介して受け渡される。
【００２１】
次に、暗号復号化部２２に入力されたＴＳ信号は、暗号解読された後にＴＳデコーダ４へ入力される。ＴＳデコーダ４は暗号復号化部２２から入力したＴＳ信号をデコードすることにより、音声信号と映像信号とに分離する。ＴＳデコーダ４により分離された音声信号は音声デコーダ５によって音声デコード処理され、さらにＤ／Ａ変換器６でアナログ信号に変換された後、スピーカに供給されて音声出力される。一方、ＴＳデコーダ４により分離された映像信号は映像デコーダ８によって映像デコード処理がなされ、提示処理部９へ供給される。提示処理部９は映像デコーダ８から供給される映像信号に字幕などの文字データを合成してＬＣＤ１０へ入力することにより、ＬＣＤ１０の画面上に画像を表示する。
【００２２】
図１のデジタル放送受信装置は、基準クロック生成部１１から供給される基準クロックにより音声出力及び画像表示されているが、この基準クロックは放送局側の基準クロックとは必ずしも同期しておらず、また、フロントエンドユニット１００及びバックエンドユニット２００間におけるＴＳ信号の伝送がパケット伝送であるので、データ伝送速度の揺らぎも生じる。しかしながら、これらの要因によって生じる可能性がある画像表示のコマ落ちや音声出力の音途切れ等を補償すべく送受信バッファ１６及び１９を設けているので、これらの障害を受けることなくデジタル放送を視聴することができる。
【００２３】
図２は、本発明の実施の形態２に係るデジタル放送受信装置を示すブロック構成図である。この実施の形態２と上記実施の形態１との差異はフロントエンドユニットの復調部３で放送局側の送信機の基準クロックと同期した基準クロックを導出し、この基準クロックをバックエンドユニット２００の基準クロック生成部１１へ供給するようにした点である。このように構成することにより、放送局側の基準クロックと同期した音声出力及び画像表示を行なうことができる。なお、実施の形態２では復調部３と基準クロック生成部１１を接続する信号線が１本必要になるが、送受信バッファ１６、１９はパケット伝送速度の揺らぎを補償するだけでよいので容量を小さくすることができる。
【産業上の利用可能性】
【００２４】
本発明は、デジタル放送を受信する装置をフロントエンドユニットとバックエンドユニットとに分離したものであり、携帯電話機をバックエンドユニットとして利用することができる。
【図面の簡単な説明】
【００２５】
【図１】本発明の実施の形態１に係るデジタル放送受信装置を示すブロック構成図である。
【図２】本発明の実施の形態２に係るデジタル放送受信装置を示すブロック構成図である。
【図３】従来のデジタル放送受信装置を示すブロック構成図である。
【符号の説明】
【００２６】
１  アンテナ    ２  チューナ    ３  復調部    ４トランスポートストリームデコーダ    ５  音声デコーダ    ７  スピーカ    ８  映像デコーダ    １０  ＬＣＤ    １１  基準クロック生成部    １３  暗号化部    １５  コマンド・データ多重分離部    １６  送受信バッファ    １７  ＵＳＢインターフェース    １８  ＵＳＢインターフェース    １９  送受信バッファ    ２０  コマンド・データ多重分離部    ２２  暗号復号化部    １００  フロントエンドユニット    ２００  バックエンドユニット
【図１】
2008048201.tif 000003
【図２】
2008048201.tif 000004
【図３】
2008048201.tif 000005